(57)【特許請求の範囲】
【請求項１】
被調理物を加熱するための加熱室（４）と、該加熱室（４）の開口部を開閉する扉（５）と、前記加熱室（４）内に載置された被調理物を加熱する加熱手段と、を備えた加熱調理器であって、
前記加熱室（４）の底面の隅に該加熱室（４）に溜まった水を滴下させる複数の排水穴（９０）を設け、前記加熱室（４）の底面下側には該排水穴（９０）から滴下する水を受ける水受け皿部（４２）を取り付け、
前記水受け皿部（４２）は、底面が皿状で傾斜し、該傾斜の先には傾斜した樋（６２）が設けられて滴下した水が一カ所に集まるように構成され、該水が集まる個所には集まった水を水受け皿部（４２）の下に滴下させる穴（６３）が設けられ、
前記水受け皿部（４２）の下側には、前記穴（６３）より滴下した水を溜める容器であって加熱調理器に挿脱可能に構成された水容器（４８）と、前記穴（６３）より滴下した水を受け止める水受け（６６）と、前記水受け（６６）に受け止められた水を前記水容器（４８）に流す樋（６７）とが備えられていることを特徴とする加熱調理器。
【請求項２】
請求項１に記載の加熱調理器において、加熱調理器は、水タンク（２６）、給水ポンプ（２７）、蒸気発生器（２８）、それらを繋ぐ給水パイプ（２９）により構成された蒸気供給装置（２５）を備え、前記水受け皿部（４２）は該蒸気供給装置（２５）における給水ポンプ（２７）、給水パイプ（２９）、蒸気発生器（２８）の表面で結露して滴下する結露水をも受けるように構成されていることを特徴とする加熱調理器。
【請求項３】
請求項１に記載の加熱調理器において、加熱調理器の前面下部に取り付けた脚カバー（９）の上端部には前記扉（５）を伝って滴下する水を受ける樋（４１）が設けられ、該樋（４１）で受けた水は樋（４１）の底に設けた穴（４５）から前記水容器（４８）に滴下するように構成されていることを特徴とする加熱調理器。
【請求項４】
請求項１から請求項３の何れか１項に記載の加熱調理器において、前記水容器（４８）には着脱可能な蓋（５０）を備えることを特徴とする加熱調理器。
【発明の詳細な説明】
【技術分野】
【０００１】
本発明は、加熱調理器に関し、特に加熱室、扉、蒸気供給装置などの表面で結露して滴下する結露水を安全に処理できる加熱調理器に関する。
【背景技術】
【０００２】
食材の加熱にマイクロ波を利用する加熱調理器は、短時間で効率の良い加熱ができ調理の幅も広いことから一般家庭に広く普及している。また、最近では調理に加熱蒸気も使用できるようにした蒸気供給装置付きの加熱調理器も普及してきている。この蒸気供給装置を備えた加熱調理器では、加熱室に供給された加熱蒸気が食材表面、加熱室内壁、扉裏面等で冷却されて結露水が生ずる。加熱蒸気を長時間使用する調理では生ずる結露水の量も多くなり、結露水は加熱室内に溜まって室内をべとつかせたり扉を伝って床面に滴下したりする。
【０００３】
こうした問題に対処する従来技術としては、例えば扉下部の脚カバー上端部に設けた凹溝で結露水を受け、その脚カバーを着脱自在にして溜まった水を処理できるようにしたものがある（例えば、特許文献１参照）。しかし、脚カバーは横長のため取り扱いに不便であり、持ち運びの際に水がこぼれる心配がある。また、脚カバーに設けた凹溝は扉を伝って滴下する結露水は受けられるが、加熱室内に溜まった結露水は処理できない欠点がある。
【特許文献１】特開２００４−３４７２５０号公報
【発明の開示】
【発明が解決しようとする課題】
【０００４】
本発明はかかる従来技術の問題点を解決するためになされたもので、その課題は、加熱室、扉、蒸気供給装置などの表面で結露して滴下する結露水を安全に処理できる加熱調理器を提供することにある。
【課題を解決するための手段】
【０００５】
前記課題を解決するための請求項１に記載の発明は、被調理物を加熱するための加熱室（４）と、該加熱室（４）の開口部を開閉する扉（５）と、前記加熱室（４）内に載置された被調理物を加熱する加熱手段とを備えた加熱調理器であって、前記加熱室（４）の底面の隅に該加熱室（４）に溜まった水を滴下させる複数の排水穴（９０）を設け、前記加熱室（４）の底面下側には該排水穴（９０）から滴下する水を受ける水受け皿部（４２）を取り付け、前記水受け皿部（４２）は、底面が皿状で傾斜し、該傾斜の先には傾斜した樋（６２）が設けられて滴下した水が一カ所に集まるように構成され、該水が集まる個所には集まった水を水受け皿部（４２）の下に滴下させる穴（６３）が設けられ、前記水受け皿部（４２）の下側には、前記穴（６３）より滴下した水を溜める容器であって加熱調理器に挿脱可能に構成された水容器（４８）と、前記穴（６３）より滴下した水を受け止める水受け（６６）と、前記水受け（６６）に受け止められた水を前記水容器（４８）に流す樋（６７）とが備えられていることを特徴とする。
【０００６】
このような構成の加熱調理器によれば、加熱室内で結露により水は加熱室から排出されて水受け皿部に集められる。従って、加熱室内に結露水が溜まることが防止される効果を奏する。また、水受け皿部で受けた水を一カ所に集めて下部に排出させることができ水受け皿部に水が溜まることを防止することができる。また、水容器にある程度の容量をもたせれば、調理中に結露水が床面に滴下することを防止することができる効果を奏する。
【０００７】
また、請求項２に記載の発明は、請求項１に記載の加熱調理器において、加熱調理器は、水タンク（２６）、給水ポンプ（２７）、蒸気発生器（２８）、それらを繋ぐ給水パイプ（２９）により構成された蒸気供給装置（２５）を備え、前記水受け皿部（４２）は該蒸気供給装置（２５）における給水ポンプ（２７）、給水パイプ（２９）、蒸気発生器（２８）の表面で結露して滴下する結露水をも受けるように構成されていることを特徴とする。
このような構成の加熱調理器によれば、蒸気供給装置における給水ポンプ、給水パイプ、蒸気発生器の表面で結露して生じた結露水が床面に滴下することが防止される効果を奏する。
【００１４】
また、請求項３に記載の発明は、請求項１に記載の加熱調理器において、加熱調理器の前面下部に取り付けた脚カバー（９）の上端部には前記扉（５）を伝って滴下する水を受ける樋（４１）が設けられ、該樋（４１）で受けた水は樋（４１）の底に設けた穴（４５）から前記水容器（４８）に滴下するように構成されていることを特徴とする。
【００１５】
このような構成とすれば、扉裏面で結露して滴下する結露水も水容器に集められるため結露水が床面に滴下することが防止される効果を奏する。
【００１６】
また、請求項４に記載の発明は、請求項１から請求項３の何れか１項に記載の加熱調理器において、前記水容器（４８）には着脱可能な蓋（５０）を備えることを特徴とする。
このような蓋を取り付ければ、水容器を運ぶ際に水がこぼれることを防止することができる。
【発明を実施するための最良の形態】
【００１７】
以下、本発明に係る加熱調理器の一実施形態について図面を参照して説明する。本実施形態の加熱調理器１はマイクロ波加熱による電子レンジ調理とヒータ加熱によるオーブン調理の双方ができるものであり、且つ調理中に蒸気供給装置により発生させた加熱蒸気をも利用できるようにした蒸気発生装置付きの電子レンジである。
【００１８】
加熱調理器１は図８に示すように矩形箱状の外箱２により外殻が形成され、その内側には前面が開口した内箱３が設けられている。内箱３の内部は被調理物を加熱処理する加熱室４として利用され、その加熱室４の前面開口部には開口部の全面に渡る大きさで上下方向に回動可能に軸支された開閉扉５が装着されている。
【００１９】
扉５の前面には図９の正面図に示すように加熱室４を透視するための窓部６が設けられ、その上部には開閉用の把手７が取り付けられている。扉５の下部には操作パネル８が取り付けられている。操作パネル８には調理メニューや調理時間等の調理条件を設定するためのつまみやキーと、調理状態や設定内容を表示するための表示部が設けられている。
【００２０】
外箱２は下面の四隅に取り付けられた図示しない脚部により支持されている。外箱２の下部前方寄りには、その脚部や外箱２の下方部分を隠遮して正面（前面）からの外観的な意匠的効果を上げるための脚カバー９が装着されている。
【００２１】
図１は加熱調理器１の概略的な縦断正面図、図２は縦断右側面図、図３は加熱室４の天井部分を除いた平面図を示している。内箱３（加熱室４）の天井上側部には面状ヒータ１０が取り付けられ、加熱室４の背面には熱風オーブンユニット１１が設けられている。熱風オーブンユニット１１は、ヒータ１２、ファン１３、ファンモータ１４とから構成されている。発生した熱風は内箱３の背面に設けられた通風孔１６から加熱室４に入り、内部を循環して被加熱物を加熱する。熱風オーブンユニット１１の側方には、同ユニット用の冷却ファン装置１５が取り付けられている。
【００２２】
また、図３に示すように外箱２の後方下部にはもう一つの加熱源（加熱手段に相当）であるマイクロ波を発生させるマグネトロン１７が配設されている。内箱３の下面と外箱２の底面との間には導波管１８が配設されており、マグネトロン１７で発生したマイクロ波は導波管１８を通って内箱３の中央下面に設けられた励振口１９に導かれる。内箱３の底部分には平坦なガラスもしくはセラミックス製のトレイ２０が取り付けられており、その下面側にはモータ２２で回転駆動される回転アンテナ２１が取り付けられている。励振口１９から入ったマイクロ波は回転アンテナ２１により反射攪拌され、トレイ２０を透過して加熱室４内を広くむらなく照射する。これにより被加熱物はマイクロ波加熱を受ける。
【００２３】
本実施形態の加熱調理器１はスチーム調理を可能とするための蒸気供給装置をも備えている。蒸気供給装置２５は、図１に示すように内箱３（加熱室４）の左側面裏側に取り付けられている。蒸気供給装置２５は、水タンク２６、給水ポンプ２７、蒸気発生器２８、それらを繋ぐ給水パイプ２９により構成されている。内箱３の下側の前方左寄りに中空箱状のタンクケースが内箱３に固定して取り付けてあり、水タンク２６はそのタンクケース内に前面から挿脱可能に収納されている。水タンク２６の前面には、意匠的効果を考慮して脚カバー９の形状に合わせた把手が取り付けられている。
【００２４】
水タンク２６内の水は給水ポンプ２７により汲み上げられ給水パイプ２９を経由して蒸気発生器２８に供給される。蒸気発生器２８はアルミダイキャスト製の中空形状の蒸発容器であり、埋設されたシーズヒータにより内部は１２０℃付近まで加熱される。給水パイプ２９から少量の水が供給されると水は瞬時に蒸発して加熱蒸気となり、内箱３の左側面に設けた蒸気噴出口３０を通り加熱室４内に噴射される。
【００２５】
この蒸気供給装置２５は、加熱蒸気を供給しながら調理する調理メニューが設定された場合に動作させられる。加熱室４内に供給された加熱蒸気は被加熱物表面、扉５の裏面、内箱３の内壁面に接触して冷却され、結露して水滴となる。蒸気供給装置２５における給水ポンプ２７、給水パイプ２９、蒸気発生器２８の表面にも空気中の水蒸気が結露した水滴がつき滴下することがある。本実施形態の加熱調理器１は、そうした全ての結露水を最終的に水容器４８に集める構成となっている。
【００２６】
最初に扉５の内面で結露して滴下する結露水を水容器４８に集める構成について説明する。水容器４８は図１、図２に示すように外箱２の下側の前方右寄り位置に収納される。図４は水容器４８が収納された状態での右側面から見た要部縦断面図、図５は水容器４８が収納された部分を左側からみた斜視図である。
【００２７】
扉５の内面を伝って滴下する結露水を集めるために、扉５の内面と外箱２との接する部分の下部であって脚カバー９の上端面部に樋４１が設けられている。樋４１は扉５の幅全長に渡り、内側には凹形状溝４４が形成されている。溝４４の底は水容器４８の方向に向けて僅かに傾斜しており、傾斜した先の溝４４の底には、図６の樋４１の斜視図に示すように穴４５が設けられている。扉５の裏面を伝って滴下した結露水は樋４１を流れ穴４５に集まりそこから下に滴下する。
【００２８】
水容器４８は、その穴４５から滴下する水を受けられる位置に収納されている。水容器４８は挿脱ガイド４９内に前面から挿脱可能に収納されている。水容器４８は箱型で上面には着脱可能な蓋５０が取り付けられ、前面に把手５１が取り付けられている。挿脱ガイド４９は凹形状に形成された枠で、外箱２の底を形成する底カバー５３の下面にネジ止め固定されている。
【００２９】
挿脱ガイド４９は水容器４８の挿脱時には水容器４８の動きをガイドし、水容器４８が挿入された状態ではそれを保持する役割を果たす。挿入状態の水容器４８を所定位置に安定保持するため係合手段５６が設けられている。係合手段５６は、例えば挿脱ガイド４９側に板ばねからなる山形状の弾性突片を設け、一方これに対応する水容器４８側に凹部を設けたもので両者を係脱可能に係合して所定位置に安定保持する。係合手段５６は、水容器４８の底部あるいは側部に当たる部分に設けられている。
【００３０】
把手５１は水容器４８の前面部に取り付けられている。把手５１の前面は意匠的効果を考慮して脚カバー９の形状に合わせて形成されている。把手５１の裏側上部で前記樋部分４１に設けられた穴４５の下方部分には、穴４５から滴下する結露水を受け止めて水容器４８に導く幅狭で階段状の樋５２が形成されている。樋５２を下り降りた結露水は水容器４８の蓋５０に設けられた開口５９から水容器４８に流れ込み貯水される。
【００３１】
一方、加熱室４内で結露した結露水、及び蒸気供給装置２５の表面から滴下する結露水は、共に内箱３の底面裏側に取り付けた水受け皿部４２で受け止められる。内箱３（加熱室４）の底面の隅には結露水を滴下されるための複数の排水穴９０が設けられており、結露水はこの排水穴９０を通って水受け皿部４２の上に落ちる。
【００３２】
水受け皿部４２は図７に示すように皿状で外箱２の底面とほぼ同じ大きさに形成されている。但し、導波管１８と励振口１９の取り付け部分と干渉する部分は開口部９３とされている。この水受け皿部４２は、図４に示すように内箱３の底面と底箱３の底面を構成する底カバー５３との間に固定されている。内箱３の底面隅に形成される前記複数の排水穴９０は、滴下した結露水が水受け皿部４２の上に落ちる位置にしか設けられていない。加熱調理器１を制御する制御装置７０は水受け皿部４２の下側部分に取り付けられ、結露水の滴下を受けないようにしてある。
【００３３】
水受け皿部４２の底は僅かに傾斜しており、傾斜の先には数本の樋６２が設けられている。樋６２の底も僅かに傾斜しており、樋６２に流れ込んだ結露水はその傾斜に沿って一カ所の穴６３に集められる。外箱２の底面を構成している底カバー５３の前記穴６３の下方位置には開口６４が設けられている。水受け皿部４２の穴６３から滴下した結露水はその開口６４を通過して外箱２の下に落ちる。
【００３４】
開口６４の下位置に当たる部分には、図５に示すように挿脱ガイド４９の上部側面から突出して小さな皿状の水受け６６が設けてある。滴下した水はその水受け６６により一旦受け止められた後、その水受け６６から挿脱ガイド４９の側面を貫いて水容器４８の上方に伸びる短い樋６７を流れ、その端から水容器４８の蓋５０に設けられた開口６８を通って水容器４８内に落下する。こうして水受け皿部４２に滴下した水も全て水容器４８に集められる。
【００３５】
以上説明したように本実施形態の加熱調理器１では、加熱蒸気が加熱室４内壁や扉５の裏面で結露した結露水も、蒸気供給装置２５の表面で結露した結露水も最終的に全て水容器４８内に集められるため、床面が水で汚れることが防止される効果を奏する。また、水容器４８は蓋５０を付けた状態で加熱調理器１に挿脱可能に構成されているため、水容器４８に溜まった水を処理する際にも水がこぼれる心配がない。
【図面の簡単な説明】
【００３６】
【図１】加熱調理器１の正面から見た概略的な縦断面図である。
【図２】加熱調理器１の縦断右側面図である。
【図３】加熱室４の上から見た横断面図である。
【図４】水容器４８が収納された部分の要部縦断面図である。
【図５】水容器４８が収納された部分の要部斜視図である。
【図６】脚カバー９の上端部に設けられた樋４１の部分斜視図である。
【図７】水受け皿部４２の概略的な斜視図である。
【図８】加熱調理器１の扉５を開放した状態の斜視図である。
【図９】加熱調理器１の正面から見た斜視図である。
【符号の説明】
【００３７】
図面中、１は加熱調理器、２は内箱、３は外箱、４は加熱室、５は扉、８は操作パネル、９は脚カバー、９ａは開口、２５は蒸気供給装置、２６は水タンク、４１は樋、４２は水受け皿部、４５は穴、４８は水容器、５０は蓋、５３は底カバー、６２は樋、６３は穴、９０は排水穴を示す。
【図１】
0004476881.tif 000002
【図２】
0004476881.tif 000003
【図３】
0004476881.tif 000004
【図４】
0004476881.tif 000005
【図５】
0004476881.tif 000006
【図６】
0004476881.tif 000007
【図７】
0004476881.tif 000008
【図８】
0004476881.tif 000009
【図９】
0004476881.tif 000010